(57)【要約】      （修正有）【課題】  パームトップ型多機能按摩器の提供。【解決手段】  一体成形された非電気式按摩器１０であり、該按摩器の後端中央部分が上下の二つの凸点の間を以て按摩器の最大高度位置を形成している。該按摩器の上面１３がこの上凸点１１より前向き、及び両側に向けて徐々に低くなるよう延伸され、並びに該上面に凹孔１４が形成されている。該按摩器の底面は中央より両側に向けて徐々に高くなる方式で延伸され、按摩器の前端と両側の厚さが薄くされている。また、上面の凹孔以外の部分はほぼ円弧状を呈し、並びに該上面の円弧状エリアに複数の凸紋１３１，１３２，１３３が形成されている。該按摩器の上面は摩擦式按摩面とされ、その周囲に突出程度の異なる凸点１６，１８１，１８２が形成されて複数の按摩深さの異なる押圧点が形成されている。【選択図】        図１
2005066196.tif 000002
【特許請求の範囲】
【請求項１】
一体成形された按摩器であり、該按摩器の後端中央部分が上凸点と下凸点の間の距離を以て按摩器の最大高度位置を形成し、該按摩器の上面がこの上凸点より前向き、及び両側に向けて徐々に低くなるよう延伸され、並びに該上面に凹孔が形成され、該按摩器の底面は中央より両側に向けて徐々に高くなる方式で延伸され、按摩器の前端と両側の厚さが薄くされている。また、上面の凹孔以外の部分はほぼ円弧状を呈し、並びに該上面の円弧状エリアに複数の凸紋が形成されたことを特徴とする、パームトップ型多機能按摩器。
【請求項２】
前記按摩器の右端に凸点が形成され、該凸点が押圧点とされたことを特徴とする、請求項１記載のパームトップ型多機能按摩器。
【請求項３】
前記按摩器の左側に円弧部が形成されたことを特徴とする、請求項２記載のパームトップ型多機能按摩器。
【請求項４】
前記按摩器の前端に凹口が設けられ、該凹口の左側と右側に突出程度の異なる凸点が形成されたことを特徴とする、請求項２記載のパームトップ型多機能按摩器。
【請求項５】
前記下凸点の両側と按摩器の左右両端の間にやや凹んだ円弧線が形成されたことを特徴とする、請求項２記載のパームトップ型多機能按摩器。
【発明の詳細な説明】
【技術分野】
【０００１】
本発明は一種のパームトップ型多機能按摩器に係り、それは非電気式の手動式按摩器であり、人体皮膚下に対して深さの異なる按摩を行なうことができ、人体の各部に対して有効な按摩作用を形成する按摩器に関する。
【背景技術】
【０００２】
現代人は運動不足に陥りやすく、且つ長時間同じ姿勢を保持することで、背中や腰の痛み、頸部の凝りを発生しやすい。また、現代人は作業中にコンピュータに依存しており、ゆえに経常的に長時間キーボードを操作するため、手指が過度に疲労し、腕の痛みを形成しやすい。
【０００３】
人体の筋肉、関節の強張り、痛みと血液循環には密接な関係がある。人体のある部分の血液循環が悪くなると、その部分に凝りや、痛みを発生する。人体のある部分の筋肉が長時間不動であると、その部分の血液循環が悪くなり、凝りや痛みを発生する。按摩は血液循環を促す手段の一つであり、それは筋肉を押圧する方式で筋肉を活動させ、血液循環を促進する効果を有する。それはツボを押圧する方式で、人体内の細胞の放電を刺激し、気の循環を増す。
【発明の開示】
【発明が解決しようとする課題】
【０００４】
現在一般に販売されている非電気式按摩器具のほとんどは押圧或いは叩く方式で人体を按摩する。その機能性は単一であり、人体に対して深さの異なる按摩を行なえない。人体の手の甲、腕、足の甲、及び関節付近はいずれも骨格が皮膚表面に接近しており、もし叩いたり押圧方式で按摩すると、骨を傷つけたり、靱帯や筋組織を痛めることがある。
【０００５】
本発明は一種のパームトップ型多機能按摩器を提供することを目的とし、それは、人体に対して押圧と叩く按摩方式のほか、摩擦式按摩を行なうことができ、人体に対して、変化性に富み、深さ程度の異なる按摩を行なえ、さらに、関節付近に対する按摩を行なえるものとする。
【課題を解決するための手段】
【０００６】
請求項１の発明は、一体成形された按摩器であり、該按摩器の後端中央部分が上凸点と下凸点の間の距離を以て按摩器の最大高度位置を形成し、該按摩器の上面がこの上凸点より前向き、及び両側に向けて徐々に低くなるよう延伸され、並びに該上面に凹孔が形成され、該按摩器の底面は中央より両側に向けて徐々に高くなる方式で延伸され、按摩器の前端と両側の厚さが薄くされているとしている。また、上面の凹孔以外の部分はほぼ円弧状を呈し、並びに該上面の円弧状エリアに複数の凸紋が形成されたことを特徴とする、パームトップ型多機能按摩器としている。
請求項２の発明は、前記按摩器の右端に凸点が形成され、該凸点が押圧点とされたことを特徴とする、請求項１記載のパームトップ型多機能按摩器としている。
請求項３の発明は、前記按摩器の左側に円弧部が形成されたことを特徴とする、請求項２記載のパームトップ型多機能按摩器としている。
請求項４の発明は、前記按摩器の前端に凹口が設けられ、該凹口の左側と右側に突出程度の異なる凸点が形成されたことを特徴とする、請求項２記載のパームトップ型多機能按摩器としている。
請求項５の発明は、前記下凸点の両側と按摩器の左右両端の間にやや凹んだ円弧線が形成されたことを特徴とする、請求項２記載のパームトップ型多機能按摩器としている。
【発明の効果】
【０００７】
本発明の提供するパームトップ型多機能按摩器は、その特殊な形状設計により、人体に対して多種類の按摩を行なうことができ、また深さの異なる押圧を行なえ、人体の選択使用に供される。また、該按摩器は摩擦、押圧、叩く等の異なる方式で人体に対する按摩が行なえ、人が使用する時の選択範囲が多様であり、最も適合し最も快適な按摩効果を獲得させることができる。
【発明を実施するための最良の形態】
【０００８】
本発明のパームトップ型多機能按摩器は、一体成形された非電気式按摩器であり、該按摩器の後端中央部分が上下の二つの凸点の間を以て按摩器の最大高度位置を形成している。該按摩器の上面がこの上凸点より前向き、及び両側に向けて徐々に低くなるよう延伸され、並びに該上面に凹孔が形成されている。該按摩器の底面は中央より両側に向けて徐々に高くなる方式で延伸され、按摩器の前端と両側の厚さが薄くされている。また、上面の凹孔以外の部分はほぼ円弧状を呈し、並びに該上面の円弧状エリアに複数の凸紋が形成されている。該按摩器の上面は摩擦式按摩面とされ、手の甲、足の甲、腕及び関節付近に摩擦式按摩を行なうのに供される。
【０００９】
本発明のパームトップ型多機能按摩器は、按摩器の上面の凹孔が関節を収容する機能を有し、孔縁が按摩の効果を増加する。また該按摩器の上面で人体を軽く叩く時、該凹孔が掌の隆起の中空部分を模倣する。
【００１０】
本発明のパームトップ型多機能按摩器は、該按摩器の上面の後縁が中央が高く両側が低い線とされ、該線で人体に対して動態按摩を行なう時、衝撃点を具えた動態按摩線を形成する。
【００１１】
本発明のパームトップ型多機能按摩器は、按摩器の底面後端中央の下凸点が最も突出する押圧点とされる。該下凸点の両側と按摩器の左右両端間の連接線がやや凹んだ円弧線とされ、この二つの円弧線がスクラッチ板の機能を具備する。
【００１２】
本発明のパームトップ型多機能按摩器は、按摩器の周縁に複数の異なる突出程度の押圧点が形成されている。
【実施例１】
【００１３】
本発明の提供するパームトップ型多機能按摩器は、図１、２に示されるように、一体成形された按摩器１０である。該按摩器１０の後端中央部分が上下の二つの凸点１１、１２の間の距離を以て按摩器の最大高度位置を形成している。該按摩器１０の上面１３がこの上凸点１１より前向き、及び両側に向けて徐々に低くなるよう延伸され、並びに該上面１３に凹孔１４が形成されている。これは図５に示されるとおりである。該按摩器１０の上面１３の凹孔１４以外の部分はほぼ円弧状を呈し、並びに該上面１３の円弧状エリアに複数の凸紋１３１、１３２、１３３が形成されている。該按摩器１０の底面１５は中央の下凸点１２より両側に向けて徐々に高くなる方式で延伸され（図４参照）、按摩器１０の前端と両側の厚さが薄くされている。これは図３に示されるとおりである。
【００１４】
該按摩器１０の上面１３は摩擦式按摩面とされ、手の甲、足の甲、腕及び関節付近に摩擦式按摩を行なうのに供される。そのうち、按摩器１０の上面１３の凹孔１４は、関節を進入させる機能を具え、関節にぶつかって痛みを与えるのを防止する。該凹孔１４の孔縁は摩擦式按摩効果を増す。按摩器１０の上面１３が人体に対して叩く方式で按摩を行なう時、該凹孔１４は中空位置を形成する。即ち按摩器１０で人体を叩くことにより、人の掌の中央を隆起させて人体を叩く状態を模倣することができる。
【００１５】
該按摩器１０の右端には凸点１６が形成され、該凸点１６は押圧点とされる。該按摩器１０の左側には円弧部１７が形成されている。該円弧部１７で人体に対して動態按摩を行なう時、線状位置に対して滑らかな按摩作用を発生しうる。該按摩器１０の前端に凹口１８が設けられ、該凹口１８は手指の挿入に供され、これにより按摩器１０の握持に便利とされる。また該凹口１８の左右側にそれぞれ突出程度の異なる凸点１８１、１８２が形成されて二つの押圧点とされている。
【００１６】
上述の按摩器１０の上面後端の上凸点１１、底面後端の下凸点１２、右端の凸点１６、前端凹口１８両側の凸点１８１、１８２は突出程度の異なる押圧点とされる。操作者は按摩したい身体部分と個人の使用習慣により、選択使用できる。
【００１７】
上述の按摩器１０は樹脂で一体成形され、且つ樹脂原料中に遠赤外線を放出できる材料が添加されて、按摩の機能が高められている。この按摩器１０は使用時に、押圧方式で人体に対する按摩に供されるか、或いは摩擦、移動方式での按摩に供される。また、該按摩器１０自身の重量により人体に対して軽く叩く方式で按摩を行なうことができる。ゆえに、該按摩器１０は一種の多重使用可能な多機能按摩器１０である。
【００１８】
該按摩器１０の底面後端中央の下凸点１２は全体の按摩器１０の最も突出する押圧点とされる。該下凸点１２の両側と按摩器１０の左右両端の間にはそれぞれやや凹んだ円弧線１２１、１２２が形成され、この二つの円弧線１２１、１２２の円弧はやや異なる。この円弧線１２１、１２２で人体を引っかく動作を行なうことで、該按摩器１０はスクラッチ板の機能を有する。
【００１９】
該按摩器１０の上面１３の後端の左から右は中央突出状とされ、該上面１３の後縁を左から右に動かして人体に対して線形按摩を行なう時、動態線の開始点、中点、終了点に異なる深さの押圧効果を発生できる。
【図面の簡単な説明】
【００２０】
【図１】本発明の斜視図である。
【図２】本発明の別角度から見た斜視図である。
【図３】本発明の正面図である。
【図４】本発明の背面図である。
【図５】本発明の断面図である。
【符号の説明】
【００２１】
１０  按摩器        １１  上凸点
１２  下凸点        １２１  円弧線
１２２  円弧線      １３  上面
１３１、１３２、１３３  凸紋
１４  凹孔          １５  底面
１６  凸点          １７  円弧部
１８  凹口          １８１  凸点
１８２  凸点
【図１】
2005066196.tif 000003
【図２】
2005066196.tif 000004
【図３】
2005066196.tif 000005
【図４】
2005066196.tif 000006
【図５】
2005066196.tif 000007
【手続補正書】
【提出日】平成15年9月3日(2003.9.3)
【手続補正１】
【補正対象書類名】図面
【補正対象項目名】図５
【補正方法】変更
【補正の内容】
【図５】
2005066196.tif 000008